(57)【特許請求の範囲】
【請求項１】
開閉可能な開閉部材又は前記開閉部材を閉じたときに当該開閉部材を受け止める受け部材のいずれか一方に設けられ、導電性の磁性体からなる保持枠に磁石が保持されて当該保持枠を磁化する複数の磁力保持具と、
前記他方の相手側部材のうち少なくとも前記磁力保持具に対応した箇所に設けられ、前記開閉部材を閉じたときに前記磁力保持具の保持枠が吸着する導電性の磁性体からなる被吸着部材と、
前記複数の磁力保持具の保持枠と前記被吸着部材とを直列接続し、前記保持枠と前記被吸着部材との接離を電気的に検知する検知回路と、
を備え、
前記被吸着部材は前記複数の磁力保持具の全てが接触する共通の部材であることを特徴とする開閉検知装置。
【請求項２】
請求項１に記載の開閉検知装置において、
前記磁力保持具は、断面略Ｕ字状の保持枠内に磁石を保持し、前記磁石よりも前記保持枠の一部を被吸着部材側に突出させ、被吸着部材との接触部とすることを特徴とする開閉検知装置。
【請求項３】
請求項１又は２に記載の開閉検知装置において、
前記検知回路は前記磁力保持具と前記被吸着部材との接触に伴う通電状態を検知可能とすることを特徴とする開閉検知装置。
【請求項４】
請求項１乃至３のいずれかに記載の開閉検知装置において、
前記検知回路は前記複数の磁力保持具の全てが前記被吸着部材に接触したか否かを検知可能とすることを特徴とする開閉検知装置。
【請求項５】
請求項１乃至４のいずれかに記載の開閉検知装置において、
前記検知回路は、検知結果に基づいて光源要素が点灯若しくは非点灯する表示器を備えていることを特徴とする開閉検知装置。
【請求項６】
開閉可能な開閉部材と、
前記開閉部材を閉じたときに当該開閉部材を受け止める受け部材と、
前記開閉部材の開閉状態を検知する請求項１乃至５のいずれかに記載の開閉検知装置と、
を備えたことを特徴とする開閉装置。
【請求項７】
装置筐体と、
前記装置筐体に設けられる請求項６に記載の開閉装置と、
前記装置筐体内に組み込まれ、予め決められた処理を施す処理部と、
を備えたことを特徴とする処理装置。
【発明の詳細な説明】
【技術分野】
【０００１】
本発明は、開閉検知装置及びこれを用いた開閉装置、処理装置に関する。
【背景技術】
【０００２】
従来この種の開閉装置としては、例えば特許文献１に記載のものが既に提供されている。
特許文献１には、開口が形成されたケース、前記ケースにより回動可能に支持され且つ前記開口を開放する開放位置と前記開口を閉塞する閉塞位置との間で回動可能な開閉カバー、前記ケースに設けられたケース側当接部材およびケース側マグネットラッチ部材、前記開閉カバーに設けられたカバー側当接部材およびカバー側マグネットラッチ部材、前記開閉カバーが前記閉塞位置に接近した時に互いに圧接するように配置された前記ケース側当接部材およびカバー側当接部材であって、互いに圧接した時に一方が弾性変形して前記開閉カバーの前記閉塞位置への移動を可能にする前記ケース側当接部材およびカバー側当接部材、前記開閉カバーが前記閉塞位置に移動した時に磁力により吸着される前記ケース側マグネットラッチ部材および前記カバー側マグネットラッチ部材により構成されたマグネットラッチ機構が開示され、カバー側マグネットラッチ部材にインタロックスイッチを設けることで開閉カバーの開閉状態が検知されている。
【先行技術文献】
【特許文献】
【０００３】
【特許文献１】特開２００２−３４４１６３号公報（発明の実施の形態,図５）
【発明の概要】
【発明が解決しようとする課題】
【０００４】
本発明が解決しようとする技術的課題は、磁力保持具による開閉部材の開閉状態を簡単に検知することにある。
【課題を解決するための手段】
【０００５】
請求項１に係る発明は、開閉可能な開閉部材又は前記開閉部材を閉じたときに当該開閉部材を受け止める受け部材のいずれか一方に設けられ、導電性の磁性体からなる保持枠に磁石が保持されて当該保持枠を磁化する複数の磁力保持具と、前記他方の相手側部材のうち少なくとも前記磁力保持具に対応した箇所に設けられ、前記開閉部材を閉じたときに前記磁力保持具の保持枠が吸着する導電性の磁性体からなる被吸着部材と、前記複数の磁力保持具の保持枠と前記被吸着部材とを直列接続し、前記保持枠と前記被吸着部材との接離を電気的に検知する検知回路と、を備え、前記被吸着部材は前記複数の磁力保持具の全てが接触する共通の部材であることを特徴とする開閉検知装置である。
【０００６】
請求項２に係る発明は、請求項１に係る開閉検知装置において、前記磁力保持具は、断面略Ｕ字状の保持枠内に磁石を保持し、前記磁石よりも前記保持枠の一部を被吸着部材側に突出させ、被吸着部材との接触部とすることを特徴とする開閉検知装置である。
請求項３に係る発明は、請求項１又は２に係る開閉検知装置において、前記検知回路は前記磁力保持具と前記被吸着部材との接触に伴う通電状態を検知可能とすることを特徴とする開閉検知装置である。
請求項４に係る発明は、請求項１乃至３のいずれかに係る開閉検知装置において、前記検知回路は前記複数の磁力保持具の全てが前記被吸着部材に接触したか否かを検知可能とすることを特徴とする開閉検知装置である。
請求項５に係る発明は、請求項１乃至４のいずれかに係る開閉検知装置において、前記検知回路は、検知結果に基づいて光源要素が点灯若しくは非点灯する表示器を備えていることを特徴とする開閉検知装置である。
【０００７】
請求項６に係る発明は、開閉可能な開閉部材と、前記開閉部材を閉じたときに当該開閉部材を受け止める受け部材と、前記開閉部材の開閉状態を検知する請求項１乃至５のいずれかに係る開閉検知装置と、を備えたことを特徴とする開閉装置である。
請求項７に係る発明は、装置筐体と、前記装置筐体に設けられる請求項６に係る開閉装置と、前記装置筐体内に組み込まれ、予め決められた処理を施す処理部と、を備えたことを特徴とする処理装置である。
【発明の効果】
【０００８】
請求項１に係る発明によれば、複数の磁力保持具による開閉部材の開閉状態を簡単に検知することができる。
請求項２に係る発明によれば、磁力保持具の磁石が直接被吸着部材に接触する態様に比べて、磁力保持具と被吸着部材との間の吸着力を容易に調整することができる。
請求項３に係る発明によれば、検知回路の通電状態を監視することで、磁力保持具による開閉部材の開閉状態を簡単に検知することができる。
請求項４に係る発明によれば、複数の磁力保持具を具備する態様で、全ての磁力保持具による開閉部材の開閉状態を簡単に検知することができる。
請求項５に係る発明によれば、表示器を備えていない態様に比べ、開閉部材の開閉状態を直接目視確認することができる。
請求項６に係る発明によれば、複数の磁力保持具による開閉部材の開閉状態を簡単に検知することが可能な開閉装置を提供することができる。
請求項７に係る発明によれば、複数の磁力保持具による開閉部材の開閉状態を簡単に検知することが可能な開閉装置を含む処理装置を提供することができる。
【図面の簡単な説明】
【０００９】
【図１】（ａ）は本発明が適用される開閉装置を含む処理装置の実施の形態の概要を示す説明図、（ｂ）は（ａ）に示す開閉装置で用いられる開閉検知装置を模式的に示す説明図である。
【図２】実施の形態１に係る処理装置としての画像形成装置の外観を示す説明図である。
【図３】実施の形態１で用いられる原稿送り装置の一例を示す説明図である。
【図４】実施の形態１で用いられる原稿送り装置の開閉蓋を閉じた状態の要部を示す説明図である。
【図５】実施の形態１に係る原稿送り装置の開閉蓋を開放したときの状態を示す説明図である。
【図６】実施の形態１に係る原稿送り装置の開閉蓋の開閉を検知するために用いられる開閉検知装置の一例を示す説明図である。
【図７】（ａ）は実施の形態１で用いられる磁力保持具の構成例を示す説明図、（ｂ）は磁力保持具及びその被取付部を示す説明図、（ｃ）は被取付部への磁力保持具の取付状態を示す説明図である。
【図８】（ａ）は実施の形態１で用いられる開閉検知装置の詳細を示す説明図、（ｂ）は自動原稿送り装置の開閉蓋を閉じたときの開閉検知装置の動作例を示す説明図である。
【図９】実施の形態１で用いられる開閉検知装置の変形の形態を示す説明図である。
【発明を実施するための形態】
【００１０】
◎実施の形態の概要
図１（ａ）は本発明が適用された開閉装置を含む処理装置の実施の形態の概要を示す説明図である。
同図において、処理装置は、装置筐体１５と、装置筐体１５に設けられる開閉装置１０と、装置筐体１５内に組み込まれ、予め決められた処理を施す処理部（図示せず）と、を備えている。
本例では、開閉装置１０は、開閉可能な開閉部材１１と、開閉部材１１を閉じたときに当該開閉部材１１を受け止める受け部材１２と、開閉部材１１の開閉状態を検知する開閉検知装置１３と、を備えている。
そして、開閉検知装置１３の基本的構成は、図１（ａ）（ｂ）に示すように、開閉可能な開閉部材１１又は開閉部材１１を閉じたときに当該開閉部材１１を受け止める受け部材１２のいずれか一方（本例では開閉部材１１）に設けられ、導電性の磁性体からなる保持枠２に磁石３が保持されて当該保持枠２を磁化する複数の磁力保持具１（本例では１ａ，１ｂ）と、他方の相手側部材（本例では受け部材１２）のうち少なくとも磁力保持具１に対応した箇所に設けられ、開閉部材１１を閉じたときに磁力保持具１の保持枠２が吸着する導電性の磁性体からなる被吸着部材５と、複数の磁力保持具１（本例では１ａ，１ｂ）の保持枠２と被吸着部材５とを直列接続し、保持枠２と被吸着部材５との接離を電気的に検知する検知回路６と、を具備している。
【００１１】
このような技術的手段において、処理装置としては、開閉装置１０を含むものであればよく、記録材を処理する画像形成装置を始め広く対象とする。例えば画像形成装置で用いられる開閉装置１０としては、装置筐体１５の開口を開閉する覆い部材や装置筐体１５に付設される原稿送り装置のジャム除去用の開閉蓋を開閉部材とするものが挙げられる。
また、開閉検知装置１３については、磁力保持具１は開閉部材１１又は受け部材１２のいずれかに設けられていればよく、その設置数は一若しくは複数のいずれでも適用可能であるが、本実施の形態では設置数が複数の態様のものに適用される。
ここで、保持枠２は導電性の磁性体からなり、磁石３により磁化するほか、被吸着部材５との間で通電可能であることを要する。
また、被吸着部材５は例えば受け部材１２又は開閉部材１１を構成する部材そのものでもよいし、夫々の構成部材に別途設けるようにしてもよい。そして、被吸着部材５は導電性の磁性体であればよく、磁力保持具１が吸着され、かつ、磁力保持具１の保持枠２との間で通電可能であることを要する。
更に、「保持枠２と被吸着部材５との間の接離を電気的に検知する」とは、両者を直列接続した回路の通電状態に基づき、通電状態にあれば両者間が接触と検知し、非通電状態であれば両者間が非接触と検知することを指す。
ここで、検知回路６としては、例えば図１（ｂ）に示すように、磁力保持具１の保持枠２と被吸着部材５とを配線材６ａで直列接続して直列回路を構成し、この直列回路の一方を接地すると共に他方に電源６ｂを接続し、直列回路中に通電計測器６ｃを設けるようにしたものが挙げられる。
【００１２】
次に、開閉検知装置１３の代表的態様又は好ましい態様について説明する。
先ず、磁力保持具１の代表的態様としては、断面略Ｕ字状の保持枠２内に磁石３を保持し、磁石３よりも保持枠２の一部を被吸着部材５側に突出させ、被吸着部材５との接触部とする態様が挙げられる。
磁力保持具１の磁石３が被吸着部材５に直接接触すると、磁石３の磁力がそのまま吸着力として働き、吸着力の調整が難しいのに対し、本例のように、磁力保持具１の保持枠２の一部と被吸着部材５とを接触させる態様では、保持枠２と被吸着部材５との接触面積を調整することで、両者間の吸着力を調整することが可能である。
また、複数の磁力保持具１を具備する態様で用いられる被吸着部材５の代表的態様としては、複数の磁力保持具１（本例では１ａ，１ｂ）の全てが接触する共通の部材である例が挙げられる。複数の磁力保持具１（本例では１ａ，１ｂ）に対しては個別の被吸着部材５を有し、個別に検知回路６を設けてもよいが、被吸着部材５を共通の部材とすることで、共通の検知回路６を用いることが可能である。
【００１３】
更に、検知回路６の代表的態様としては、磁力保持具１と被吸着部材５との接触に伴う通電状態を検知可能とする態様が挙げられる。本例は磁力保持具１と被吸着部材５との接触に伴い、これらに直列接続される回路が閉じたか否かを回路中に流れる電流の有無により検知することが可能である。
更にまた、複数の磁力保持具１（本例では１ａ，１ｂ）を具備する態様で用いられる検知回路６の好ましい例としては、複数の磁力保持具１（本例では１ａ，１ｂ）の全てが被吸着部材５に接触したか否かを検知可能とする例がある。本例では、磁力保持具１の少なくとも１つが被吸着部材５と非接触である状態を検知することが可能である。
また、検知回路６の好ましい態様としては、検知結果に基づいて光源要素が点灯若しくは非点灯する表示器７を備えている態様が挙げられる。本例では、検知回路６の検知結果が表示器７に表示され、ユーザは表示器７を見ることで開閉部材１１の開閉状態を把握することが可能である。
【００１４】
以下、添付図面に示す実施の形態に基づいて本発明を更に詳細に説明する。
◎実施の形態１
図２は実施の形態１に係る処理装置としての画像形成装置の外観を示す。
同図において、画像形成装置２０は、装置筐体２１の下部に例えば電子写真方式の作像エンジン（図示外）を搭載し、装置筐体２１の上部には画像読取装置２２及び操作パネル２３を設けると共に、装置筐体２１のうち作像エンジンと画像読取装置２２との中間部位には、空洞部を形成することで作像エンジンにて作像された記録材を排出して収容する記録材収容部２５を設けるようにしたものである。
そして、本実施の形態では、画像読取装置２２に原稿が自動的に送られる原稿送り装置３０が付設されている。
【００１５】
−画像読取装置−
本実施の形態において、画像読取装置２２は、図３に示すように、装置ケース２２０の上部に、原稿を静止させた状態で置く第１のプラテン２２１と、原稿送り装置３０にて搬送中の原稿を読み取るための開口部を形成する第２のプラテン２２２とを有しており、これら第１及び第２のプラテン２２１，２２２はプラテンカバー３００にて開閉可能に覆われ、このプラテンカバー３００に原稿送り装置３０が設けられている。
そして、装置ケース２２０内には、第２のプラテン２２２の下方を初期位置として静止し、第１のプラテン２２１の全域に亘って走査することで原稿の画像を読み込むフルレートキャリッジ２２３と、フルレートキャリッジ２２３から得られた光を結像部へ導くハーフレートキャリッジ２２４とが設けられている。ここで、フルレートキャリッジ２２３は、原稿に光を照射する照明ランプ２２５、原稿から得られた反射光を反射させる第１のミラー２２６を備えている。また、ハーフレートキャリッジ２２４は、第１のミラー２２６から得られた光を結像部に導く第２及び第３のミラー２２７，２２８を備えている。
更に、装置ケース２２０内には、第３のミラー２２８から得られた光学像を結像部に向けて光学的に結像させる結像レンズ２２９と、この結像レンズ２２９にて結像された光学像を光電変換するイメージセンサ２３０（本例ではＣＣＤ（Charge Coupled Device）イメージセンサを使用）とが設けられ、イメージセンサ２３０にて得られた画像信号は駆動基板２３１を介して制御装置２３２に入力されている。
【００１６】
−原稿送り装置−
本実施の形態において、原稿送り装置３０は、図２及び図３に示すように、プラテンカバー３００上に設けられて画像読込み前の原稿が置かれる原稿置き台３１と、プラテンカバー３００上で原稿置き台３１の下方に設けられ、画像読込み後の原稿が収容される原稿収容受け３２と、プラテンカバー３００上で原稿置き台３１及び原稿収容受け３２に隣接した部位に設けられ、原稿が案内される搬送経路３４を形成する経路形成部品３３と、この経路形成部品３３の搬送経路３４に沿って原稿を搬送する搬送部品３５と、経路形成部品３３及び搬送部品３５を覆う装置カバー３７と、を備えている。
＜原稿置き台＞
本例において、原稿置き台３１は、図３乃至図５に示すように、原稿の両サイドが揃えられる一対の原稿案内揃え３１１を移動可能に備え、置かれた原稿の位置を基準位置（本例ではセンタを中心とする位置）に揃えるようになっている。
そして、原稿置き台３１は原稿収容受け３２の上方に設置されているが、原稿収容受け３２からの原稿の取り出しを容易にするという観点から、原稿置き台３１は必要に応じて起立姿勢状態に起立可能になっている。
【００１７】
＜経路形成部品＞
経路形成部品３３は、図３に示すように、第１乃至第６の搬送経路３４を有している。
ここで、搬送経路３４としては、原稿置き台３１に置かれた原稿が略直線的に最初に引き込まれる第１の搬送経路３４１、この第１の搬送経路３４１の下流側に形成されて略Ｃ字状に湾曲する第２の搬送経路３４２、この第２の搬送経路３４２の下流側にて２つに分岐する第３の搬送経路３４３及び第４の搬送経路３４４、第３の搬送経路３４３の途中と第１の搬送経路３４１の下流側との間に形成される第５の搬送経路３４５、第３の搬送経路３４３の途中と第４の搬送経路３４４の途中との間に形成される第６の搬送経路３４６がある。
ここで、各搬送経路３４１〜３４６は、原稿が搬送される経路空間を区画部材にて区画したものであり、区画部材の代表的態様としては、原稿を表面及び裏面に沿って延びる案内面が形成された対構成の案内部材としての案内シュート４１，４２（図５、図６参照）や、あるいは、第２の搬送経路３４２の外側に沿って湾曲し、かつ、支点を中心に回転可能な片側案内部材としての案内バッフル４３（図３参照）などが挙げられる。
更に、経路形成部品３３のうち、第３の搬送経路３４３と第４の搬送経路３４４との分岐部には両者の経路を切り替える第１の切替ゲート４４が設けられ、また、第３の搬送経路３４３、第５の搬送経路３４５及び第６の搬送経路３４６の分岐部には経路を切り替える第２の切替ゲート４５が設けられる。
【００１８】
＜搬送部品＞
本実施の形態では、第１の搬送経路３４１には、原稿置き台３１に置かされた原稿を繰り出す繰出ロール３５１と、この繰出ロール３５１にて繰り出された原稿を更に下流側まで１枚ずつ分離して送り出す送出ロール３５２と、この送出ロール３５２には送り出された原稿を更に下流側まで搬送する搬送ロール３５３と、この搬送ロール３５３にて搬送された原稿を第２の搬送経路３４２に沿うループ状に湾曲させ、更に下流側に搬送する位置決め前ロール３５４とが設けられている。
また、第２の搬送経路３４２には、位置決め前ロール３５４に搬送された原稿を一旦停止して位置決めした後に所定のタイミングに合わせて再度回転させ、第２のプラテン２２２に原稿を供給する位置決めロール３５５と、第２のプラテン２２２に対向して設置され、第２のプラテン２２２に沿って画像読み込みされる原稿を押さえながら搬送するプラテンロール３５６と、第２のプラテン２２２を通過した原稿を更に下流側に搬出する搬出ロール３５７とが設けられている。
更に、第３の搬送経路３４３の出口付近には、原稿を正方向に搬送した後に逆方向に搬送させるという正逆転ロール３５８が設けられている。
更にまた、第４の搬送経路３４４の出口付近には原稿収容受け３２に原稿を排出させる排出ロール３５９が設けられている。
また、第５の搬送経路３４５には、正逆転ロール３５８にて逆方向に搬送された原稿を排出ロール３５９側に搬送する排出前ロール３６０が設けられている。
【００１９】
本例では、片面記録モード時と、両面記録モード時とで原稿の搬送挙動が異なっている。
片面記録モードでは、原稿は、繰出ロール３５１、送出ロール３５２、搬送ロール３５３、位置決め前ロール３５４、位置決めロール３５５を経て第２のプラテン２２２に搬送されて片面側の画像が読み込まれた後、プラテンロール３５６、搬出ロール３５７を通過して順次正方向に搬送され、第１の切替ゲート４４にて第３の搬送経路３４３に向かって搬送された後に正逆転ロール３５８にて逆方向に搬送され、第２の切替ゲート４５にて第６の搬送経路３４６に向かって搬送され、排出前ロール３６０、排出ロール３５９を経て原稿収容受け３２に排出される。
一方、両面記録モードでは、原稿は、片面記録モードと同様にして片面側の画像が読み込まれた後、プラテンロール３５６、搬出ロール３５７を通過して順次正方向に搬送され、正逆転ロール３５８にて逆方向に搬送された後、第５の搬送経路３４５を介して再び第２の搬送経路３４２を経由して第２のプラテン２２２に反転した状態で搬送され、他の片面側の画像が読み込まれた後、プラテンロール３５６、搬出ロール３５７を通過して順次正方向に搬送され、第１の切替ゲート４４にて第４の搬送経路３４４に向かって搬送された後、排出ロール３５９を経て原稿収容受け３２に排出される。
【００２０】
＜装置カバー＞
本実施の形態において、装置カバー３７は、図３及び図６に示すように、経路形成部品３３及び搬送部品３５が覆われるカバー本体３７１をプラテンカバー３００上に設置し、このカバー本体３７１のうち第１の搬送経路３４１及び第２の搬送経路３４２の上方部位に開閉部材としての開閉蓋３７２を一端を支点３７３として開閉可能に設けたものである。
本例では、開閉蓋３７２が案内部材としての案内シュート４１を兼用して構成されており、案内部材としての案内シュート４２は開閉蓋３７２の受け部材として機能すると共に、一端を支点として起立可能に設けられている。
従って、例えば第１の搬送経路３４１や第２の搬送経路３４２で原稿がジャムしたときには、図５に示すように、当該原稿を取り除くために開閉蓋３７２を開放するようにすればよい。
また、第２のプラテン２２２側に搬送された原稿がジャムしたときには、図５に示すように、開閉蓋３７２を開放した後に、更に案内シュート４２を起立状態に変化させ、ジャムした原稿を取り除くようにすればよい。
【００２１】
−開閉検知装置−
本実施の形態では、原稿送り装置３０の開閉蓋３７２の開閉を検知する開閉検知装置５０が設けられている。
本例において、開閉検知装置５０は、図４乃至図７に示すように、開閉蓋３７２のうち支点３７３から離れた回転自由端側に設けられる複数（本例では２つ）の磁力保持具６０（具体的には６０ａ，６０ｂ）と、開閉蓋３７２の受け部材に相当する案内シュート４２の表面に設けられ、複数の磁力保持具６０が吸着させられる被吸着板７０と、複数の磁力保持具６０と被吸着板７０との接離を電気的に検知する検知回路８０（図８参照）と、この検知回路８０の検知結果を表示する表示器９０と、を備えている。
本例では、開閉蓋３７２の内側に一方の案内シュート４１が取り付けられ、この案内シュート４１の幅方向両側に複数の磁力保持具６０が設けられており、これらの磁力保持具６０は一方の案内シュート４１の案内面よりも他方の案内シュート４２側に向かって突出配置されており、開閉蓋３７２が閉じられているときには、複数の磁力保持具６０が他方の案内シュート４２の被吸着板７０に接触して吸着すると共に、一方の案内シュート４１と他方の案内シュート４２との間には原稿が搬送可能な間隙が確保されるようになっている。
【００２２】
＜磁力保持具＞
本例において、磁力保持具６０は、図６及び図７（ａ）〜（ｃ）に示すように、断面略Ｕ字状の導電性を有する金属製の保持枠６１と、この保持枠６１に保持される磁石６２と、保持枠６１を被取付部６６に取り付ける取付部品６５とを備えている。
ここで、保持枠６１は連結部６１１及び一対の脚部６１２で囲まれた領域を磁石保持部６１３として、この磁石保持部６１３に直方体形状の磁石６２を吸着保持させ、一対の脚部６１２には磁石保持部６１３に保持された磁石６２の位置よりも突出する接片６１４を一体的に形成したものである。
また、取付部品６５は絶縁性の合成樹脂材にて一体的に成形されたものであって、ヒンジ部６５１を介して開閉可能な一対の蓋体６５２，６５３からなり、一対の蓋体６５２，６５３内には保持枠６１及び保持枠６１に保持された磁石６２を収容する収容部６５４が形成され、更に、一対の蓋体６５２，６５３のヒンジ部６５１とは反対側に位置する部分には保持枠６１の接片６１４を通過させる開口６５５が形成されると共に、一対の蓋体６５２，６５３を拘束する拘束機構（本例では引っ掛け爪６５６と引っ掛け溝６５７とで構成）が形成され、また、一方の蓋体６５２のヒンジ部６５１に隣接する両側縁部には弾性変形可能な一対の支持爪６５８が形成されている。尚、符号６５９は収容部６５４に保持枠６１を押さえ込む付勢バネである。
一方、被取付部６６は、図６及び図７（ｂ）（ｃ）に、磁力保持具６０の取付部品６５が挿入可能な略断面矩形状の取付孔６６１を有し、この取付孔６６１に取付部品６５の支持爪６５８が弾性復帰に伴って引っ掛かる段付き部６６２を形成したものである。
【００２３】
本例においては、磁力保持具６０は、図７（ａ）に示すように、保持枠６１に磁石６２を保持させる一方、取付部品６５をヒンジ部６５１を挟んで一対の蓋体６５２，６５３を開いた状態にし、一方の蓋体６５２の収容部６５４に磁石６２が保持された保持枠６１を収容し、一対の蓋体６５２，６５３を閉じて拘束機構６５６，６５７にて拘束することで取付部品６５内に保持枠６１及び磁石６２を拘束し、磁力保持具６０の組付が完了する。
この後、図７（ｂ）に示すように、被取付部６６の取付孔６６１に磁力保持具６０を予め決められた向きに挿入し、図７（ｃ）に示すように、取付孔６６１の段付き部６６２に磁力保持具６０の取付部品６５の支持爪６５８が引っ掛かるまで磁力保持具６０を押し込むようにすれば、被取付部６６に磁力保持具６０が装着される。
この状態において、磁力保持具６０の保持枠６１の接片６１４が開閉蓋３７２側の案内シュート４１よりも、他方の案内シュート４２の被吸着板７０側に突出して配置されるようになっている。
【００２４】
＜被吸着板＞
本実施の形態において、図６及び図８（ａ）に示すように、案内シュート４２側の被吸着板７０は導電性を有する金属にて構成されており、本例では案内シュート４２の表面を構成する板金と兼用されている。このため、本例では被吸着板７０は案内シュート４２のうち原稿の搬送方向に交差する幅方向に一体的に延びている。但し、この案内シュート４２はプラテンカバー３００上に設けられるが、ブラケットやフレーム等の導電部材を介して固定する場合には接地に対して絶縁されている。
尚、本例では、被吸着板７０は案内シュート４２の板金を兼用しているが、これに限られるものではなく、案内シュート４２とは別に導電性を有する部材を用いて付設するようにしてもよいことは勿論である。
【００２５】
＜検知回路・表示器＞
本実施の形態において、検知回路８０は、図４、図５及び図８（ａ）に示すように、開閉蓋３７２側の各磁力保持具６０と案内シュート４２側に被吸着板７０とを直列に接続し、磁力保持具６０と案内シュート４２との接離を電気的に検知するものである。
一方、表示器９０は、原稿送り装置３０の装置カバー３７のうちカバー本体３７１の原稿置き台３１側にコーナー部付近に例えばＬＥＤからなる表示ランプ９１を付設したものであり、この表示ランプ９１の制御基板９２には駆動用の電源９３を接続するようになっている。
本例では、検知回路８０は、一方の磁力保持具６０（本例では６０ａ）の保持枠６１と表示ランプ９１の制御基板９２との間を配線材８１で接続することで、表示器９０の電源９３と表示ランプ９１と一方の磁力保持具６０（本例では６０ａ）の保持枠６１とを直列接続し、他方の磁力保持具６０（本例では６０ｂ）の保持枠６１を配線材８２で接地するようにしたものである。
【００２６】
本実施の形態では、原稿送り装置３０内で原稿がジャムした場合には、ジャムした原稿を取り除くために開閉蓋３７２を開放したと仮定する。
このとき、原稿送り装置３０の開閉蓋３７２が開いた状態では、図８（ａ）に示すように、磁力保持具６０（本例では６０ａ，６０ｂ）は被吸着板７０とは非接触状態にあるため、磁力保持具６０と被吸着板７０との間は電気的に接続されておらず、検知回路８０には電流が流れない。
このため、本例では、表示器９０の表示ランプ９１は点灯しない。
次に、原稿送り装置３０の開閉蓋３７２を閉じたと仮定する。
このとき、開閉蓋３７２に付設されている複数の磁力保持具６０（本例では６０ａ，６０ｂ）は案内シュート４２の被吸着板７０に向かって移動し、複数の磁力保持具６０が被吸着板７０に接近すると、磁力保持具６０の保持枠６１が磁石６２によって磁化され、当該保持枠６１の接片６１４が被吸着板７０に接触して吸着する。
すると、図８（ｂ）に示すように、各磁力保持具６０（本例では６０ａ，６０ｂ）が被吸着板７０に接触することから、各磁力保持具６０と被吸着板７０との間が導通状態になり、検知回路８０は、電源９３、表示ランプ９１、一方の磁力保持具６０ａ、被吸着板７０及び他方の磁力保持具６０ｂからなる直列回路を閉じる状態に至る。このため、検知回路８０には所定の動作電流ｉが流れることになり、表示ランプ９１が点灯する。この結果、原稿送り装置３０のユーザは開閉蓋３７２が完全に閉じたことを把握することが可能になり、開閉蓋３７２の閉じ状態が不完全なまま原稿送り装置３０を使用するという事態は有効に回避される。
【００２７】
また、本例では、複数の磁力保持具６０（本例では６０ａ，６０ｂ）のうち、例えば一方の磁力保持具６０ａは被吸着板７０に接触したが、例えば開閉蓋３７２を閉じたときの反動などの要因で他方の磁力保持具６０ｂが被吸着板７０に接触しないような状況が発生した場合には、磁力保持具６０ｂと被吸着板７０との間が非導通状態であるため、検知回路８０が非導通部分の存在により閉じない。この場合には、表示器９０の表示ランプ９１が点灯しないことから、ユーザは開閉蓋３７２の閉じ状態が不完全であることを容易に把握することが可能である。
更に、本例では、磁力保持具６０は、磁石６２が直接被吸着板７０に接触しておらず、磁力保持具６０の磁力による吸着力は保持枠６１の接片６１４と被吸着板７０との接触面積に依存するものであるため、磁石６２が直接被吸着板７０に接触した場合に比べて、磁力保持具６０の磁力による吸着力が不必要に大きくなる懸念は少ない。このため、原稿送り装置３０の開閉蓋３７２を開放するときの操作力が不必要に嵩むという懸念は少ない。
【００２８】
◎変形の形態
本実施の形態では、検知回路８０は、磁力保持具６０（本例では６０ａ，６０ｂ）と被吸着板７０との接離部位をスイッチング素子として機能させる方式を採用しているが、これに限られるものではなく、例えば図９に示すような変形の形態を採用するようにしても差し支えない。
図９に示す方式は、例えば表示ランプ９１の制御基板９２に電源９３を接続すると共に、スイッチング素子（例えばトランジスタ）９４を介して接地する一方、スイッチング素子９４のベース電極と一方の磁力保持具６０（本例では６０ａ）の保持枠６１との間を配線材８１を介して接続すると共に、他方の磁力保持具６０（本例では６０ｂ）の保持枠６１と電源８３とを配線材８２を介して直列接続し、電源８３の一方を接地するようにしたものである。
本例によれば、例えば原稿送り装置３０の開閉蓋３７２を閉じると、各磁力保持具６０（本例では６０ａ，６０ｂ）の保持枠６１と被吸着板７０とが接触して導通する。すると、一方の磁力保持具６０ａ、被吸着板７０，他方の磁力保持具６０ｂ及び電源８３を直列接続する第１の回路８０ａ（検知回路８０に相当）に電流が流れ、スイッチング素子９４のベース電極に通電されると、スイッチング素子９４が閉動作する。すると、電源９３、表示ランプ９１及びスイッチング素子９４を直列接続する第２の回路８０ｂ（検知回路８０に相当）が閉じることになり、表示ランプ９１が点灯する。
【符号の説明】
【００２９】
１（１ａ，１ｂ）…磁力保持具，２…保持枠，３…磁石，５…被吸着部材，６…検知回路，６ａ…配線材，６ｂ…電源，６ｃ…通電計測器，７…表示器，１０…開閉装置，１１…開閉部材，１２…受け部材，１３…開閉検知装置，１５…装置筐体
【図１】
0006413501.tif 000002
【図２】
0006413501.tif 000003
【図３】
0006413501.tif 000004
【図４】
0006413501.tif 000005
【図５】
0006413501.tif 000006
【図６】
0006413501.tif 000007
【図７】
0006413501.tif 000008
【図８】
0006413501.tif 000009
【図９】
0006413501.tif 000010